(57)【特許請求の範囲】
【請求項１】
外部装置からデータを受信する受信手段と、
自装置側の通信アドレスを、前記外部装置に送信する送信手段とを備え、
前記外部装置が前記通信アドレスを用いて送信するデータを、前記受信手段が受信し、受信したデータに基づく画像を形成する画像形成装置と無線により通信する当該外部装置であって、
受信した前記通信アドレスを記憶する記憶部を備えることを特徴とする外部装置。
【請求項２】
携帯電話機であることを特徴とする請求項１に記載の外部装置。
【請求項３】
前記通信アドレスを用いてデータを前記画像形成装置に送信する第２送信手段を備えることを特徴とする請求項１又は２に記載の外部装置。
【請求項４】
前記第２送信手段は、受け付けたパスキーを前記画像形成装置に送信することを特徴とする請求項３に記載の外部装置。
【請求項５】
前記パスキーは固定されていることを特徴とする請求項４に記載の外部装置。
【請求項６】
外部装置からデータを受信する受信手段と、
自装置側の通信アドレスを、前記外部装置に送信する送信手段とを備え、
前記外部装置が前記通信アドレスを用いて送信するデータを、前記受信手段が受信し、受信したデータに基づく画像を形成する画像形成装置と無線により通信する当該外部装置に実行させるプログラムであって、
受信した前記通信アドレスを記憶する処理を前記外部装置に実行させることを特徴とするプログラム。
【請求項７】
外部装置からデータを受信する受信手段を備え、受信したデータに基づく画像を形成する画像形成装置において、
自装置側の通信アドレスを、前記外部装置に送信する送信手段と、
パスキーの入力を促す入力画面を表示する表示部とを備え、
前記外部装置が受け付け、前記通信アドレスを用いて送信するパスキーを前記受信手段が受信することを特徴とする画像形成装置。
【請求項８】
受信されたパスキーと、予め記憶したパスキーと比較する比較部を備えることを特徴とする請求項７に記載の画像形成装置。
【請求項９】
前記パスキーは固定されていることを特徴とする請求項７又は８に記載の画像形成装置。
【請求項１０】
外部装置と、該外部装置からデータを受信する受信手段を備え、受信したデータに基づく画像を形成する画像形成装置とを用いた通信方法において、
前記画像形成装置が、自装置側の通信アドレスを、前記外部装置に送信手段により送信し、
前記外部装置と前記画像形成装置との間の通信は無線で行われ、
前記外部装置は受信した前記通信アドレスを記憶し、
前記画像形成装置は、前記外部装置が前記通信アドレスを用いて送信するデータを、前記受信手段により受信することを特徴とする通信方法。
【請求項１１】
前記外部装置は、前記通信アドレスを用いて前記画像形成装置にペアリングを要求する
ことを特徴とする請求項１０に記載の通信方法。
【請求項１２】
前記画像形成装置は、パスキーの入力を促す入力画面を表示部に表示することを特徴とする請求項１０又は１１に記載の通信方法。
【請求項１３】
前記外部装置はパスキーを受け付け、該パスキーを画像形成装置に送信し、
前記画像形成装置は、前記受信手段が前記外部装置から前記パスキーを受信し、受信されたパスキーと、予め記憶したパスキーとを比較することを特徴とする請求項１２に記載の通信方法。
【請求項１４】
前記パスキーは固定されていることを特徴とする請求項１２又は１３に記載の通信方法。
【請求項１５】
外部装置と、該外部装置からデータを受信する受信手段を備え、受信したデータに基づく画像を形成する画像形成装置とを用いた通信システムにおいて、
前記画像形成装置は、
自装置側の通信アドレスを、前記外部装置に送信する送信手段を備え、
前記外部装置と前記画像形成装置との間の通信は無線で行われ、
前記外部装置は、
受信した前記通信アドレスを記憶する記憶部を備え、
前記画像形成装置は、前記外部装置が前記通信アドレスを用いて送信するデータを、前記受信手段により受信することを特徴とする通信システム。
【発明の詳細な説明】
【技術分野】
【０００１】
本発明は、外部装置から画像データを受信して画像を形成する外部装置、プログラム、画像形成装置、通信方法、及び通信システムに関する。
【背景技術】
【０００２】
最近、カメラ機能が搭載された携帯電話機が普及されており、何時でも、何処でも、お手軽にデジタル写真の撮影ができる。また、携帯電話機に装着されたメモリーが大容量化しており、デジタル写真、ビジネス文書等のデータを保存する、パーソナルな記憶デバイスとしての利用例も増えている。また、携帯電話機の小型化、薄型化等に伴い、携帯電話機のメモリーも指先程度、又は指先より小さな大きさを有するいわゆるカード型が採用されている。
【０００３】
特許文献１では、ユーザが自分の非接触ＩＤカード（又は該非接触ＩＤカードを内蔵した無線通信機器）を画像処理装置のカードリーダライタ部に近づけた場合、前記非接触ＩＤカードのＩＣチップが、前記カードリーダライタ部から常に出されている、前記画像処理装置のＩＤを示す端末ＩＤを含んだ微弱な電波を受信して、前記端末ＩＤを取得し、該端末ＩＤを用いて非接触ＩＤカードのユーザＩＤを画像処理装置へ送信する無線通信方法が開示されている。
【０００４】
一方、特許文献２では、パーソナルコンピュータのリーダライタと電磁波により通信する非接触ＩＣカードが設けられている携帯電話機を、ユーザが前記パーソナルコンピュータに近接させることにより、前記リーダライタから輻射される電磁波が前記非接触ＩＣカードにおいて受信されたとき、前記携帯電話機は、前記非接触ＩＣカードに設定されているカードＩＤを前記パーソナルコンピュータに通知し、該パーソナルコンピュータは、通知されたカードＩＤに基づいて、前記携帯電話機を識別し、通信相手として特定する通信システムが開示されている。
【先行技術文献】
【特許文献】
【０００５】
【特許文献１】特開２００７−２６７３７０号公報
【特許文献２】特開２００３−３２１７６号公報
【発明の概要】
【発明が解決しようとする課題】
【０００６】
一方、ユーザが前記携帯電話機のメモリー内に保存したデジタル写真、ビジネス文書等のデータを印刷する方法としては、前記携帯電話機のメモリーを画像形成装置の読み取り装置に直接つないで印刷すべきデータ（以下、印刷データ）を前記画像形成装置に送信して印刷を行う方法と、前記携帯電話機と無線のデータ送受信可能な画像形成装置に無線で印刷データを送信して印刷を行う方法等がある。
【０００７】
上記の前記携帯電話機のメモリーを画像形成装置の読み取り装置に直接つなぐ方法の場合は、カード型のメモリーを前記携帯電話機から引き出し、前記画像形成装置のメモリーカードリーダに挿入して行う必要がある。また、印刷が完了した後は、再び、カード型のメモリーを前記携帯電話機に挿入する必要があり、非常に煩わしい作業が要求されるうえに、印刷の完了後に、前記画像形成装置のメモリーカードリーダからカード型のメモリーを抜き忘れする虞もある。
【０００８】
また、画像形成装置に無線で印刷データを送信して印刷を行う方法としては、例えば、Ｂｌｕｅｔｏｏｔｈ（登録商標）技術による無線通信を行う場合、ＲＦＩＤシステムを用いた無線通信を行う場合、前記携帯電話機及び画像形成装置の間で赤外線通信が行われる場合等がある。
【０００９】
Ｂｌｕｅｔｏｏｔｈ（登録商標）技術による無線通信を行う場合においては、双方の機器間を通信可能な状態に設定（認証）を行う操作が必要である。例えば、前記携帯電話機及び画像形成装置が、共にＢｌｕｅｔｏｏｔｈ（登録商標）対応可能であって、互いにＢｌｕｅｔｏｏｔｈ（登録商標）技術による無線通信を行う場合、通称ペアリング（又はボンディング）と呼ばれる設定操作によって相手を特定し、双方を通信可能な状態に設定する必要がある。
【００１０】
しかしながら、前記ペアリングには複雑で面倒な操作が必要である。例えば、ユーザが前記携帯電話機のメモリー内の画像データを、画像形成装置を用いて印刷する場合、ユーザは前記携帯電話機を用いて、所定半径範囲（例えば、１００ｍｍ）の無線通信可能な画像形成装置を検索し、該検索の結果として前記携帯電話機の表示部に表示される複数の画像形成装置のＢｌｕｅｔｏｏｔｈアドレスの中から、前記画像形成装置のＢｌｕｅｔｏｏｔｈアドレスを判別することを必要とするが、前記判別は非常に難しい作業である。なお、前記判別が正常的に行われたとしても、その後、双方を通信可能な状態に設定するための細かい操作が更に必要である。なお、前記画像形成装置が、コンビニエンスストアに設置された貸し出しの画像形成装置である場合は、新規のユーザが多いので、はじめての無線通信が多く、その都度前記ペアリングを行う必要もある。
【００１１】
一方、前記携帯電話機及び画像形成装置の間で赤外線通信が行われる場合には、ユーザは、前記印刷データを無線で送信する間、印刷すべき前記携帯電話機の赤外線ポートと、画像形成装置の赤外線ポートとを向き合わせた状態で、前記携帯電話機を所定時間固定する煩雑な操作も必要である。
【００１２】
また、例えば、Ｆｅｌｉｃａ（登録商標）、Ｅｄｙ（登録商標）等のＲＦＩＤシステムを用いた無線通信を行う場合、通信速度が遅いことから、前記印刷データを無線で送信するために、前記携帯電話を前記画像形成装置に所定時間かざしておく必要がる。
【００１３】
これらを簡単に行う方法として特許文献１の無線通信方法及び特許文献２の通信システムが知られている。すなわち、特許文献１の無線通信方法及び特許文献２の通信システムは何れも、いわゆるＲＦＩＤシステムを用い、非接触ＩＤカード（非接触ＩＣカード）を画像処理装置のカードリーダライタ部（パーソナルコンピュータのリーダライタ）に近づけた場合は、自動的に非接触ＩＤカードのユーザＩＤ（非接触ＩＣカードのカードＩＤ）を画像処理装置（パーソナルコンピュータ）へ送信するように構成されている。しかしながら、特許文献１の無線通信方法及び特許文献２の通信システムはセキュリティ上の問題を抱えている。すなわち前記ＲＦＩＤシステムは、改札口、コンビニエンスストア等での電子決済、身分認証等の用途に、身近なところで幅広く使用されているので、特許文献１の非接触ＩＤカード（特許文献２の非接触ＩＣカード）が別の用途のために用意されているリーダライタに接近した場合、ユーザの意図に反して、前記非接触ＩＤカードのユーザＩＤ（非接触ＩＣカードのカードＩＤ）が前記リーダライタに自動的に送られ、秘密情報が流出される虞があり、ひいては流出されたユーザＩＤ（カードＩＤ）を用いた不正アクセスの可能性もある。
【００１４】
本発明は、斯かる事情に鑑みてなされたものであり、その目的とするところは、外部装置から画像データを受信し、該画像データに基づく画像を形成する画像形成装置が、前記外部装置から画像データを受信する受信手段と、自装置側の通信アドレスを、前記外部装
置に送信する送信手段とを備え、前記画像形成装置が前記外部装置から画像データを受信する際、前記送信手段を介して自装置側の通信アドレスを前記外部装置に無線にて送信し、前記外部装置は受信した通信アドレスを記憶し、該通信アドレス用いて前記受信手段に画像データを無線にて送信することにより、前記ペアリングのような設定（認証）における面倒な操作を省くことが出来る外部装置、プログラム、画像形成装置、通信方法、及び通信システムを提供することにある。
【課題を解決するための手段】
【００１５】
本発明に係る外部装置は、外部装置からデータを受信する受信手段と、自装置側の通信アドレスを、前記外部装置に送信する送信手段とを備え、前記外部装置が前記通信アドレスを用いて送信するデータを、前記受信手段が受信し、受信したデータに基づく画像を形成する画像形成装置と無線により通信する当該外部装置であって、受信した前記通信アドレスを記憶する記憶部を備えることを特徴とする。
本発明に係る外部装置は、携帯電話機であることを特徴とする。
本発明に係る外部装置は、前記通信アドレスを用いてデータを前記画像形成装置に送信する第２送信手段を備えることを特徴とする。
本発明に係る外部装置は、前記第２送信手段は、受け付けたパスキーを前記画像形成装置に送信することを特徴とする。
本発明に係る外部装置は、前記パスキーは固定されていることを特徴とする。
本発明に係るプログラムは、外部装置からデータを受信する受信手段と、自装置側の通信アドレスを、前記外部装置に送信する送信手段とを備え、前記外部装置が前記通信アドレスを用いて送信するデータを、前記受信手段が受信し、受信したデータに基づく画像を形成する画像形成装置と無線により通信する当該外部装置に実行させるプログラムであって、受信した前記通信アドレスを記憶する処理を前記外部装置に実行させることを特徴とする。
本発明に係る画像形成装置は、外部装置からデータを受信する受信手段を備え、受信したデータに基づく画像を形成する画像形成装置において、自装置側の通信アドレスを、前記外部装置に送信する送信手段と、パスキーの入力を促す入力画面を表示する表示部とを備え、前記外部装置が受け付け、前記通信アドレスを用いて送信するパスキーを前記受信手段が受信することを特徴とする。
本発明に係る画像形成装置は、受信されたパスキーと、予め記憶したパスキーと比較する比較部を備えることを特徴とする。
本発明に係る画像形成装置は、前記パスキーは固定されていることを特徴とする。
本発明に係る通信方法は、外部装置と、該外部装置からデータを受信する受信手段を備え、受信したデータに基づく画像を形成する画像形成装置とを用いた通信方法において、前記画像形成装置が、自装置側の通信アドレスを、前記外部装置に送信手段により送信し、前記外部装置と前記画像形成装置との間の通信は無線で行われ、前記外部装置は受信した前記通信アドレスを記憶し、前記画像形成装置は、前記外部装置が前記通信アドレスを用いて送信するデータを、前記受信手段により受信することを特徴とする。
本発明に係る通信方法は、前記外部装置は、前記通信アドレスを用いて前記画像形成装置にペアリングを要求することを特徴とする。
本発明に係る通信方法は、前記画像形成装置は、パスキーの入力を促す入力画面を表示部に表示することを特徴とする。
本発明に係る通信方法は、前記外部装置はパスキーを受け付け、該パスキーを画像形成装置に送信し、前記画像形成装置は、前記受信手段が前記外部装置から前記パスキーを受信し、受信されたパスキーと、予め記憶したパスキーとを比較することを特徴とする。
本発明に係る通信方法は、前記パスキーは固定されていることを特徴とする。
本発明に係る通信システムは、外部装置と、該外部装置からデータを受信する受信手段を備え、受信したデータに基づく画像を形成する画像形成装置とを用いた通信システムにおいて、前記画像形成装置は、自装置側の通信アドレスを、前記外部装置に送信する送信
手段を備え、前記外部装置と前記画像形成装置との間の通信は無線で行われ、前記外部装置は、受信した前記通信アドレスを記憶する記憶部を備え、前記画像形成装置は、前記外部装置が前記通信アドレスを用いて送信するデータを、前記受信手段により受信することを特徴とする。
【００１６】
本発明にあっては、前記画像形成装置が前記外部装置から画像データを受信する際、前記送信手段が自装置側の通信アドレスを取得して前記外部装置に無線にて送信する。前記外部装置は前記通信アドレスを受信して記憶し、該通信アドレスを用いて前記受信手段に画像データを無線にて送信する。
【発明の効果】
【００１７】
本発明によれば、外部装置から画像データを受信し、該画像データに基づく画像を形成する画像形成装置において、前記画像形成装置が前記外部装置から画像データを受信する際、前記送信手段を介して自装置側の通信アドレスを前記外部装置に無線にて送信し、前記外部装置は受信した通信アドレスを記憶し、該通信アドレスを用いて前記受信手段に画像データを無線にて送信することにより、前記ペアリングのような設定（認証）における面倒な操作を省くことが出来る。
【図面の簡単な説明】
【００１８】
【図１】本発明の実施の形態１に係る通信システム及び情報処理システムの概念図である。
【図２】本発明の実施の形態１に係る通信システム及び情報処理システムの要部構成を示すブロック図である。
【図３】本発明の実施の形態１に係る通信システム及び情報処理システムにおける、画像形成装置の制御部のＣＰＵによる処理手順を示すフローチャートである。
【図４】本発明の実施の形態１に係る通信システム及び情報処理システムにおける、画像形成装置の制御部のＣＰＵによる処理手順を示すフローチャートである。
【図５】本発明の実施の形態１に係る通信システム及び情報処理システムにおける、携帯電話機の制御部のＣＰＵによる処理手順を示すフローチャートである。
【図６】本発明の実施の形態１に係る通信システム及び情報処理システムにおける、携帯電話機のフラッシュメモリの構成を説明するための説明図である。
【図７】画像形成装置の表示部に表示されるファイル名一覧の画面の一例を示す例示図である。
【図８】本発明の実施の形態２に係る通信システム及び情報処理システムにおける、画像形成装置の制御部のＣＰＵによる処理手順を示すフローチャートである。
【図９】本発明の実施の形態２に係る通信システム及び情報処理システムにおける、携帯電話機の制御部のＣＰＵによる処理手順を示すフローチャートである。
【図１０】携帯電話機において、印刷すべきファイルを選択する操作を説明するための説明図である。
【発明を実施するための形態】
【００１９】
以下、本発明の実施の形態１に係る画像形成装置を、コピー機能、印刷機能等を有するデジタル複合機とし、本発明に係る通信システム及び情報処理システムが前記デジタル複合機及び携帯電話機（外部装置）を構成要素として有する場合を例として、図面を用いて具体的に説明する。
【００２０】
（実施の形態１）
図１は本発明の実施の形態１に係る通信システム及び情報処理システムの概念図であり、図２は本発明の実施の形態１に係る通信システム及び情報処理システムの要部構成を示すブロック図である。実施の形態１に係る通信システム及び情報処理システムは、画像形
成装置１及び携帯電話機２を有している。
【００２１】
画像形成装置１は、制御部１１、画像入力部１７、画像処理部１８、画像出力部１９、記憶部１４、無線通信部１６、リーダライタ１５及び操作パネル１２等のハードウェアを備え、全体としてデジタル複合機を構成している。
【００２２】
制御部１１は、これらのハードウェアを制御するＣＰＵと、制御の際に必要なデータ等を一時的に保持するＲＡＭとを備えている。記憶部１４は、例えば、不揮発性の半導体メモリであり、画像処理用の画像データ、ハードウェア各部を制御するための制御プログラム、後述するファイル名一覧の画面を表示するためのプログラム、無線通信部１６を介して受信した画像データ等を記憶する。なお、記憶部１４には、予めパスキーが複数格納されており、制御部１１のＣＰＵは操作パネル２８、１２を介してパスキーを受け付けた場合は、該パスキーと、記憶部１４に記憶のパスキーとの比較を行う。
【００２３】
また、制御部１１は必要に応じて記憶部１４から制御プログラムをロードし、ロードした制御プログラムを実行することにより、装置全体を本発明に係る画像形成装置として動作させる。
【００２４】
また、操作パネル１２は、ユーザの指示を受け付けるための各種ボタン、指示の確定を受け付けるエンターキー、テンキー等を備えている。また、操作パネル１２は、液晶ディスプレイ等の表示部１３を備え、携帯電話機２が有する画像、文書等のファイル名の一覧（コンテンツデータ）を表示する。なお、表示部１３はタッチパネルとして機能するように構成されている。
【００２５】
画像入力部１７は、原稿の画像を光学的に読取る読取手段であり、読取用の原稿に光を照射する光源、例えばＣＣＤ（Charge Coupled Device）のようなイメージセンサ等を備えている。画像入力部１７では、所定の読取り位置にセットされた原稿からの反射光像を当該イメージセンサに結像させ、ＲＧＢ（R : Red, G : Green, B : Blue）のアナログ電気信号を出力する。画像入力部１７が出力したアナログ電気信号は画像処理部１８に入力される。
【００２６】
画像出力部１９は、画像処理部１８から出力される画像データに基づいて用紙、ＯＨＰフィルム等のシート上に画像形成を行う。そのため、画像出力部１９は、感光体ドラム、該感光体ドラムを所定の電位に帯電させる帯電器、外部から受付けた画像データに応じてレーザ光を発して感光体ドラム上に静電潜像を生成させるレーザ書込装置、感光体ドラム表面に形成された静電潜像にトナーを供給して顕像化する現像器、感光体ドラム表面に形成されたトナー像を用紙上に転写する転写器等（図示せず）を備えており、電子写真方式にて利用者が所望する画像をシート上に形成する。なお、レーザ書込装置を用いた電子写真方式により画像形成を行う他、インクジェット方式、熱転写方式、昇華方式等により画像形成を行う構成であってもよい。
【００２７】
画像処理部１８は、画像入力部１７を通じて入力されるアナログ電気信号を基にデジタル形式の画像データを生成し、画像の種類に応じた処理を施した後、出力用の画像データを生成する。生成した画像データは画像出力部１９又は無線通信部１６に出力される。
【００２８】
無線通信部１６は、例えばＢｌｕｅｔｏｏｔｈ（登録商標）技術に対応できるものであり、所定近距離（例えば１００ｍｍ）内の他のＢｌｕｅｔｏｏｔｈ対応デバイス（例えば、後述の無線通信部２７）と無線での接続を行う。詳しくは、Ｂｌｕｅｔｏｏｔｈ対応デバイスは固有のＢｌｕｅｔｏｏｔｈアドレス（識別データ）を有しており、ピコネットと呼ばれる近距離の臨時ネットワークを経由して、相互のＢｌｕｅｔｏｏｔｈアドレスを用
いた通称ペアリングと呼ばれる接続相手の特定処理（認証）を行い、他のＢｌｕｅｔｏｏｔｈ対応デバイスと無線で接続及び通信することができるように構成されている。前記ピコネットは、他のＢｌｕｅｔｏｏｔｈ対応デバイスが所定距離範囲内に入ったとき、及び所定距離範囲から外れたときに、動的かつ自動的に確立又は消滅される。無線通信部１６は、Ｂｌｕｅｔｏｏｔｈ対応デバイスに限るものでなく、例えば、ＩＥＥＥ８０２．１１対応デバイスであっても良い。ただし、斯かる場合、無線通信部１６に対応する後述の無線通信部２７もＩＥＥＥ８０２．１１対応デバイスである必要がある。
【００２９】
リーダライタ１５は、後述する接触・非接触ＩＣカード２６と、いわゆる非接触方式の通信方式（ＲＦＩＤ（Radio Frequency Identification)システム）を用いて、接触・非接触の状態でのデータの送受信を行う。以下、リーダライタ１５と、接触・非接触ＩＣカード２６との間における非接触方式の通信について説明する。リーダライタ１５からは常時起動信号（電磁波）が送信されており、接触・非接触ＩＣカード２６及びリーダライタ１５が、互いに通信することが可能な程度にまで接近した場合に、接触・非接触ＩＣカード２６がリーダライタ１５から送出された電磁波を受信する。接触・非接触ＩＣカード２６は、前記電磁波を受信した場合、該電磁波の搬送波を整流して直流電源を生成し、それで内部回路を駆動させる。そして、接触・非接触ＩＣカード２６は、振幅変調を行い、前記起動信号に応じて応答信号をリーダライタ１５に送出する。例えば、Ｆｅｌｉｃａ（登録商標）、Ｅｄｙ（登録商標）等のＲＦＩＤシステム等が採用される。リーダライタ１５は、無線通信部１６の固有のＢｌｕｅｔｏｏｔｈアドレス（識別データ）を接触・非接触ＩＣカード２６に送信する。
【００３０】
一方、携帯電話機２は、装置全体を制御するＣＰＵ、プログラム、各種データ等を記録するＲＯＭ、高速な書込／読取が可能なＲＡＭ等を有する制御部２１と、電話番号、画像データ等を記憶する大容量のフラッシュメモリ２４とを備えている。また、フラッシュメモリ２４には、携帯電話機２が有する画像、文書等のファイル名の一覧（コンテンツデータ）、各画像のサムネイル等のデータが記憶されている。
【００３１】
さらに本発明に係る携帯電話機２は、通信インタフェースを備え基地局との通信を行う基地局通信部２５と、ユーザの操作を受け付ける押釦等の操作パネル２８と、撮影により映像を取得するカメラ、音声の入力を受け付けるマイク等の入力部２３と、映像を出力する液晶モニタ、音声を出力するスピーカ等の出力部２２とを備えている。
【００３２】
また、接触・非接触ＩＣカード２６と、無線通信部２７とを備えている。接触・非接触ＩＣカード２６は、いわゆる非接触方式の通信方式を用い、リードライト１５と接触・非接触の状態でデータの送受信を行う。上述と同様に、Ｆｅｌｉｃａ（登録商標）、Ｅｄｙ（登録商標）等が採用される。また、無線通信部２７は、上述と同様に、例えばＢｌｕｅｔｏｏｔｈ（登録商標）技術に対応できるものであり、他のＢｌｕｅｔｏｏｔｈ対応デバイス（例えば、無線通信部１６）が所定近距離（例えば１００ｍｍ）内にある場合、前記他のＢｌｕｅｔｏｏｔｈ対応デバイスと無線での接続及び通信を行う。
【００３３】
以下、本発明の実施の形態１に係る通信システム及び情報処理システムにおける、画像形成装置１及び携帯電話機２の通信処理及び画像形成処理について説明する。また、デジタル複合機を本発明に係る画像形成装置１とし、該デジタル複合機を用いてユーザの携帯電話機２に記憶されている画像データに基づく画像を印刷する場合を例として説明する。図３及び図４は画像形成装置１の制御部１１のＣＰＵによる処理手順を示すフローチャートであり、図５は携帯電話機２の制御部２１のＣＰＵによる処理手順を示すフローチャートである。なお、上述したように、本発明の実施の形態１に係る通信システム及び情報処理システムにおいて、画像形成装置１及び携帯電話機２は共にＢｌｕｅｔｏｏｔｈ対応デバイスである。
【００３４】
画像形成装置１のＣＰＵは携帯電話機２が所定範囲内に接近しているか否かを判定する（ステップＳ１０１）。上述したように、画像形成装置１にはリーダライタ１５が設けられており、携帯電話機２には接触・非接触ＩＣカード２６が設けられている。画像形成装置１のリーダライタ１５では、常時起動信号（電磁波）が送信されており、例えば、ユーザが携帯電話機２を、画像形成装置１のリーダライタ１５にかざした場合には、上述した手法によって、携帯電話機２の接触・非接触ＩＣカード２６から、前記起動信号に応じた応答信号がリーダライタ１５に送出される。画像形成装置１のＣＰＵは、該応答信号を受信した場合に、携帯電話機２が所定範囲内に接近していると判定する。
【００３５】
画像形成装置１のＣＰＵは、携帯電話機２が所定範囲内に接近していないと判定した場合（ステップＳ１０１：ＮＯ）、携帯電話機２が所定範囲内に接近するまで待機する。一方、画像形成装置１のＣＰＵは、携帯電話機２が所定範囲内に接近していると判定した場合（ステップＳ１０１：ＹＥＳ）、無線通信部１６が有するＢｌｕｅｔｏｏｔｈアドレス（以下、画像形成装置側アドレスという。）を読み出してリーダライタ１５に送り、リーダライタ１５は前記画像形成装置側アドレス（識別データ）を、携帯電話機２の接触・非接触ＩＣカード２６に送信する（ステップＳ１０２）。
【００３６】
一方、携帯電話機２のＣＰＵは、接触・非接触ＩＣカード２６を監視することによって、前記画像形成装置側アドレスを受信したか否かを判定する（ステップＳ２０１）。携帯電話機２のＣＰＵは、前記画像形成装置側アドレスを受信していないと判定した場合（ステップＳ２０１：ＮＯ）、前記画像形成装置側アドレスを受信するまで待機する。携帯電話機２のＣＰＵは、前記画像形成装置側アドレスを受信したと判定した場合（ステップＳ２０１：ＹＥＳ）、受信した前記画像形成装置側アドレスを接触・非接触ＩＣカード２６の記憶領域に記憶する。
【００３７】
図６はフラッシュメモリ２４の構成を説明するための説明図である。接触・非接触ＩＣカード２６の記憶領域は、共通領域２６Ｂ及びプライベート領域２６Ａ（フリーエリア）を備えている。受信した前記画像形成装置側アドレス（識別データ）は、接触・非接触ＩＣカード２６のプライベート領域２６Ａに書き込まれる。プライベート領域２６Ａは、サービス事業者が自由に利用することが可能な領域である。プライベート領域２６Ａを用いることで自由度の高い書き込みが可能となる。一方共通領域にデータを書き込むことも可能であるが、この場合はカードのネットワークスのリモート発行システムを利用しなければならず、書き込む場合の自由度が低いと言う問題がある。
【００３８】
次いで、携帯電話機２のＣＰＵは、画像形成装置１にペアリングを要求する（ステップＳ２０２）。斯かるベアリングの要求は、携帯電話機２の無線通信部２７が前記画像形成装置側アドレスを用いて、無線通信部２７のＢｌｕｅｔｏｏｔｈアドレス（以下、携帯電話機側アドレスという。）と、ペアリングを要求する旨のデータとを、画像形成装置１の無線通信部１６に送信することにより行われる。
【００３９】
一方、画像形成装置１のＣＰＵは無線通信部１６を監視することにより、携帯電話機２からペアリングの要求があったか否かを判定する（ステップＳ１０３）。画像形成装置１のＣＰＵは、ペアリングの要求がなかったと判定した場合（ステップＳ１０３：ＮＯ）、携帯電話機２からペアリングの要求があるまで待機する。画像形成装置１のＣＰＵは、ペアリングの要求があったと判定した場合（ステップＳ１０３：ＹＥＳ）、操作パネル１２の表示部１３にパスキーの入力を促すパスキー入力画面を表示し、ユーザに携帯電話機２からのパスキーの入力を要求する（ステップＳ１０４）。
【００４０】
画像形成装置１のＣＰＵは操作パネル２８（又は表示部１３のタッチパネル）を介して
ユーザが入力したパスキーを受け付け、該パスキーを記憶部１４に予め記憶されているパスキーと比較し、正しいと判定した場合、通信が確立される。つまり、これにより、ペアリングが終了し、画像形成装置１及び携帯電話機２は通信可能な状態に設定される。
【００４１】
次いで、画像形成装置１のＣＰＵは、携帯電話機２が有する画像、文章等のファイル名の一覧のデータを要求する旨のデータを、無線通信部１６を介して携帯電話機２に送信する（ステップＳ１０５）。
【００４２】
一方、携帯電話機２のＣＰＵは、無線通信部２７が画像形成装置１から前記ファイル名の一覧のデータを要求する旨のデータを受信した場合、フラッシュメモリ２４に記憶されている画像、文章等のファイル名の一覧のデータを読み出し、無線通信部２７を介して画像形成装置１に送信する（ステップＳ２０３）。
【００４３】
画像形成装置１のＣＰＵは、携帯電話機２から送信される前記ファイル名の一覧のデータを、無線通信部１６を介して受信することにより取得し（ステップＳ１０６）、記憶部１４に記憶する。
【００４４】
次いで、画像形成装置１のＣＰＵは、記憶部１４に記憶している前記ファイル名の一覧のデータに基づき、印刷を希望するファイルの選択をユーザから受け付けるためのファイル名一覧の画面を、表示部１３に表示する（ステップＳ１０７）。
【００４５】
図７は画像形成装置１の表示部１３に表示される前記ファイル名一覧の画面の一例を示す例示図である。前記ファイル名一覧の画面には、前記ファイル名の一覧のデータに基づく複数のファイル名が、例えば、スクロール表示されており、ユーザの操作パネル１２又は表示部１３（タッチパネル）の操作によって選択されたファイルのサムネイルが表示されるように構成されている。また、前記ファイル名一覧の画面には、「部数」、「変倍」等のソフトキーが設けられており、ユーザから印刷の部数、変倍等の印刷条件を受け付けることが出来る。印刷を希望するファイルの選択、印刷条件の入力が終わった場合、ユーザは前記「印刷」ソフトキーを操作し、印刷の開始を指示する。このような場合、携帯電話機１の小さい液晶モニタ画面を見て小さいキーを操作するものでなく、画像形成装置１の大きな表示部１３にて希望するファイルの選択を行うので、画像の参照性及びキーの操作性が高くなる。
【００４６】
画像形成装置１のＣＰＵは、操作パネル１２及び表示部１３のタッチパネルを監視することにより、ユーザからファイルの選択を受け付けたか否かを判定する（ステップＳ１０８）。画像形成装置１のＣＰＵは、ファイルの選択を受け付けていないと判定した場合（ステップＳ１０８：ＮＯ）、ユーザからファイルの選択を受け付けるまで待機する。一方、画像形成装置１のＣＰＵは、ユーザからファイルの選択を受け付けたと判定した場合（ステップＳ１０８：ＹＥＳ）、ユーザから印刷指示を受け付けたか否かを判定する（ステップＳ１０９）。斯かる判定は、ＣＰＵが操作パネル１２及び表示部１３のタッチパネルを監視することによって行われる。
【００４７】
画像形成装置１のＣＰＵは、印刷指示を受け付けていないと判定した場合（ステップＳ１０９：ＮＯ）、ユーザから印刷指示を受け付けるまで待機する。一方、画像形成装置１のＣＰＵは、ユーザから印刷指示を受け付けたと判定した場合（ステップＳ１０９：ＹＥＳ）、選択されたファイル（以下、選択ファイルという。）の画像データを携帯電話機２に要求する（ステップＳ１１０）。該要求は、選択ファイルの画像データの送信を要求する旨のデータを、無線通信部１６を介して携帯電話機２に送信することにより行われる。
【００４８】
一方、携帯電話機２のＣＰＵは、無線通信部２７を監視することにより、画像形成装置
１から選択ファイルの画像データの送信要求があったか否かを判定する（ステップＳ２０４）。携帯電話機２のＣＰＵは、前記選択ファイルの画像データの送信要求がなかったと判定した場合（ステップＳ２０４：ＮＯ）、前記選択ファイルの画像データの送信要求があるまで待機する。一方、携帯電話機２のＣＰＵは、前記選択ファイルの画像データの送信要求があったと判定した場合（ステップＳ２０４：ＹＥＳ）、フラッシュメモリ２４から前記選択ファイルの画像データを読み出し、無線通信部２７を介して画像形成装置１に送信する（ステップＳ２０５）。
【００４９】
一方、画像形成装置１のＣＰＵは無線通信部１６を介して、携帯電話機２から選択ファイルの画像データを受信した場合（ステップＳ１１１）、該画像データを記憶部１４に記憶する。
【００５０】
次いで、画像形成装置１のＣＰＵは、記憶部１４に記憶している前記画像データを画像出力部１９に送り、前記画像データに基づく画像の印刷を画像出力部１９に指示することにより、前記画像データに基づく画像を印刷する（ステップＳ１１２）。
【００５１】
画像形成装置１のＣＰＵは、前記印刷の際において、前記印刷が正常終了したこと、又は異常が発生したこと等の印刷結果を通知する旨のデータを、無線通信部１６を介して、携帯電話機２に送信する（ステップＳ１１３）。
【００５２】
一方、携帯電話機２のＣＰＵは、画像形成装置１から、前記印刷結果を通知する旨のデータを、無線通信部２７を介して取得し（ステップＳ２０６）、フラッシュメモリ２４に記憶する。
【００５３】
次いで、携帯電話機２のＣＰＵは、フラッシュメモリ２４に記憶している前記印刷結果を通知する旨のデータに基づき、出力部２２を介した出力を行う（ステップＳ２０７）。該出力は、例えば、携帯電話機２の前記液晶モニタへ、前記印刷結果を通知する旨のテキストを表示するものであっても良く、前記印刷結果を通知する旨の音声、警告音等を、携帯電話機２のスピーカを介して出力するものであっても良い。
【００５４】
以上にて記載したように、本発明に係る通信システム及び情報処理システムにおいては、画像形成装置１から画像形成装置側アドレスを受信し、ユーザが該画像形成装置側アドレスを用いて画像形成装置１にデータを送信するので、携帯電話機２からユーザの意図に反して、携帯電話機２側の秘密情報（例えば、アドレス、パスキー等）が流出されることを未然に防止することが可能である。
【００５５】
以上の実施の形態１の記載においては、パスキーの確実な設定のためユーザの手動入力によりパスキーを入力する場合を例として説明したが、手軽さを優先するのであればパスキーの受け渡しを、画像形成装置１のリーダライタ１５及び携帯電話機２の接触・非接触ＩＣカード２６を介して行われるように構成しても良い。
【００５６】
なお、パスキーを入力できないデバイス（マウス、ヘッドセット等）においては、前記パスキーを固定値にする構成であってもよく、パスキーの入力が不要にするように構成であっても良い。例えば、このようなパスキーを入力できないデバイスの場合は、デフォルトとして、例えば「００００」のような単純な羅列のパスキーとする。
【００５７】
（実施の形態２）
以下、本発明の実施の形態２に係る通信システム及び情報処理システムにおける、画像形成装置１及び携帯電話機２の通信処理及び画像形成処理について説明する。デジタル複合機を本発明に係る画像形成装置１とし、該デジタル複合機を用いてユーザの携帯電話機
２に記憶されている画像データに基づく画像を印刷する場合を例として説明する。本発明の実施の形態２に係る通信システム及び情報処理システムにおいては、パスキーの受け渡しを、画像形成装置１のリーダライタ１５及び携帯電話機２の接触・非接触ＩＣカード２６を介して行われるように構成されている。図８は画像形成装置１の制御部１１のＣＰＵによる処理手順を示すフローチャートであり、図９は携帯電話機２の制御部２１のＣＰＵによる処理手順を示すフローチャートである。
【００５８】
まず、携帯電話機２のユーザは、携帯電話機２を操作し、印刷すべきファイルを選択する（ステップＳ４０１）。図１０は携帯電話機２において、印刷すべきファイルを選択する操作を説明するための説明図である。携帯電話機２の液晶モニタ（出力部２２）には、フラッシュメモリ２４に記憶されている画像データのサムネイルが表示され、キー（押ボタン等の操作パネル２８）を操作してカーソルを移動させることにより、何れかのサムネイルを選択できる。希望するサムネイルを選択した場合、選択されたサムネイルに係るファイル（以下、選択ファイル）名及び前記サムネイルより大きい画像が出力部２２に表示される。その後、ユーザは上述したように印刷すべきファイルが選択された状態の携帯電話機２を、画像形成装置１のリーダライタ１５にかざす。
【００５９】
一方、画像形成装置１のＣＰＵは携帯電話機２が所定範囲内に接近しているか否かを上述した手法によって判定する（ステップＳ３０１）。画像形成装置１のＣＰＵは、携帯電話機２が所定範囲内に接近していないと判定した場合（ステップＳ３０１：ＮＯ）、携帯電話機２が所定範囲内に接近するまで待機する。一方、画像形成装置１のＣＰＵは、携帯電話機２が所定範囲内に接近していると判定した場合（ステップＳ３０１：ＹＥＳ）、無線通信部１６が有するＢｌｕｅｔｏｏｔｈアドレス（以下、画像形成装置側アドレスという。）パスキーを読み出してリーダライタ１５に送り、リーダライタ１５は前記画像形成装置側アドレスを、携帯電話機２の接触・非接触ＩＣカード２６に送信する（ステップＳ３０２）。
【００６０】
一方、携帯電話機２のＣＰＵは、接触・非接触ＩＣカード２６を監視することによって、前記画像形成装置側アドレス及びパスキーを受信したか否かを判定する（ステップＳ４０２）。携帯電話機２ＣＰＵは、前記画像形成装置側アドレス及びパスキーを受信していないと判定した場合（ステップＳ４０２：ＮＯ）、前記画像形成装置側アドレス及びパスキーを受信するまで待機する。携帯電話機２ＣＰＵは、前記画像形成装置側アドレス及びパスキーを受信したと判定した場合（ステップＳ４０２：ＹＥＳ）、受信した前記画像形成装置側アドレス及びパスキーをフラッシュメモリ２４に記憶する。
【００６１】
次いで携帯電話機２のＣＰＵは、フラッシュメモリ２４から前記選択ファイルの画像データを読み出し、前記画像形成装置側アドレス及びパスキーを用い、無線通信部２７を介して画像形成装置１に送信する（ステップＳ４０３）。
【００６２】
一方、画像形成装置１のＣＰＵは無線通信部１６を介して、携帯電話機２から選択ファイルの画像データを受信した場合（ステップＳ３０３）、該画像データを記憶部１４に記憶する。
【００６３】
次いで、画像形成装置１のＣＰＵは、記憶部１４に記憶している前記画像データを画像出力部１９に送り、前記画像データに基づく画像の印刷を画像出力部１９に指示する（ステップＳ３０４）。
【００６４】
画像形成装置１のＣＰＵは、前記印刷の際において、前記印刷が正常終了した場合、又は異常が発生した場合等の印刷結果に応じて、夫々の印刷結果を通知する旨のデータを、無線通信部１６を介して、携帯電話機２に送信する（ステップＳ３０５）。
【００６５】
一方、携帯電話機２のＣＰＵは、画像形成装置１から、前記印刷結果を通知する旨のデータを、無線通信部２７を介して取得し（ステップＳ４０４）、フラッシュメモリ２４に記憶する。
【００６６】
次いで、携帯電話機２のＣＰＵは、フラッシュメモリ２４に記憶している前記印刷結果を通知する旨のデータに基づき、出力部２２を介した出力を行う（ステップＳ４０５）。
【００６７】
以上のように構成することによって、実施の形態２に係る通信システム及び情報処理システムにおいては、既に印刷すべきファイルが選択された状態の携帯電話機２を画像形成装置１に近づけるだけで、すぐに印刷することができ、印刷作業が非常に容易となる。
【００６８】
実施の形態１と同様の部分については、同一の符号を付して詳細な説明を省略する。
【００６９】
以上の記載においては、デジタル複合機（画像形成装置１）及び携帯電話機２を例にあげて、本発明に係る通信システム、情報処理システム、画像形成装置及び携帯情報端末装置について説明したが、これに限るものでない。例えば、携帯電話機が通信機能を有するデジタルカメラであっても良い。またモバイルコンピュータ又はＰＤＡと称される携帯端末であってもよい。また、携帯電話機からデータを送信するだけでなく、デジタル複合機が有するスキャナで読み取った原稿画像のデータを、携帯電話機に送信する方法でも良い。さらに、デジタル複合機にある記憶装置内に蓄積されたファックス画像のデータ、電子データ等を携帯電話機に送信することも含まれる。また、例えば、デジタル複合機（画像形成装置１）におけるリーダライタ１５及び無線通信部１６のように、携帯電話機２における接触・非接触ＩＣカード２６及び無線通信部２７のように、２つ以上の通信手段を備え、互いに通信を行う機器の間では、本発明の同様な効果を奏することが出来る。
【符号の説明】
【００７０】
１ 画像形成装置  
２ 携帯電話機（外部装置）
１１ 制御部
１５ リーダライタ
１６ 近距離無線通信部
２１ 制御部
２６ 接触・非接触ＩＣカード
２６Ａ プライベート領域
２７ 近距離無線通信部
【図１】
0005508597.tif 000002
【図２】
0005508597.tif 000003
【図３】
0005508597.tif 000004
【図４】
0005508597.tif 000005
【図５】
0005508597.tif 000006
【図６】
0005508597.tif 000007
【図７】
0005508597.tif 000008
【図８】
0005508597.tif 000009
【図９】
0005508597.tif 000010
【図１０】
0005508597.tif 000011